(57)【要約】【課題】不用意にサーモツマミに触れて設定温度が変ることのないアイロンを提供する。【解決手段】ヒータ（図示せず）によって加熱され水を気化させる気化室（図示せず）を有するベース２と、気化室に供給する水を貯えるタンク３と、ベース２の上方に配設され握り部６を有した把手５と、ヒータへの通電を制御してベース２の温度を調節する温度制御手段７と、ベース２の温度を設定する回転式のサーモツマミ８と、タンク３から気化室への水の流れを制御するスチーム釦１０とを具備し、把手５の前方に前下がり状に形成した傾斜部５ａにサーモツマミ８と、その前側にスチーム釦１０とを設け、スチーム釦１０の上端が、握り部６の上端とサーモツマミ８の上端のいずれよりも高い位置になるようにしたもので、スチーム釦１０を操作するとき、握り部６を把持している手がサーモツマミ８に触れにくいので、サーモツマミ８が不用意に回動することがなく、使い勝手がよい。【選択図】図１
2006110042.tif 000002
【特許請求の範囲】
【請求項１】
ヒータによって加熱されるとともに水を気化させる気化室を有するベースと、前記気化室に供給する水を貯えるタンクと、前記ベースの上方に配設され握り部を有した把手と、前記ヒータへの通電を制御して前記ベースの温度を調節する温度制御手段と、前記ベースの温度を設定する回転式のサーモツマミと、前記タンクから前記気化室への水の流れを制御するスチーム釦とを具備し、前記把手の前方に前下がり状に形成した傾斜部に前記サーモツマミと、その前側に前記スチーム釦とを設け、前記スチーム釦の上端が前記握り部の上端と前記サーモツマミの上端のいずれよりも高い位置に位置するようにしたアイロン。
【請求項２】
把手のサーモツマミの側面部の周囲に窪み部を設けた請求項１に記載のアイロン。
【請求項３】
サーモツマミの上端を、握り部の上端と略同一高さまたはそれより低い位置に位置させた請求項１又は２に記載のアイロン。
【請求項４】
スチーム釦を押し込んだ時、その上端がサーモツマミの上端より高い位置またはそれとほぼ同じ高さに位置するようにした請求項１〜３のいずれか１項に記載のアイロン。
【発明の詳細な説明】
【技術分野】
【０００１】
本発明は、衣類等のしわ伸ばしを行うアイロンに関するものである。
【背景技術】
【０００２】
従来、この種のアイロンとして、握り部下方に温度調節部を形成し、アイロン掛けを行う衣類に適した温度に調整できるようにしたものがある（例えば特許文献１参照）。
【０００３】
図３は、前記特許文献１に記載された従来のアイロンの側面図である。以下その構成について説明する。
【０００４】
図３において、アイロン本体１２の下部にはヒータ（図示せず）によって加熱され、水を気化させる気化室（図示せず）を有するベース１３と、ベース１３の上方に断熱板１４を介して配置された貯水用のタンク１５と、ベース１３の上方に配設され握り部１６を有した把手１７と、ヒータ（図示せず）への通電を制御してベース１３を任意の温度に調節する温度制御手段１８と、握り部１６の下方に位置し、温度制御手段１８によって調節されるベース１３の温度を設定するサーモツマミ１９と、タンク１５から気化室（図示せず）への水の流れを制御するスチーム釦２０が設けられている。
【０００５】
以上のように構成されたアイロンについて、その動作を説明する。
【０００６】
アイロン掛けをする時は、使用者はアイロン掛けをする衣類に合わせた温度に設定するために、アイロン本体１２に設けたサーモツマミ１９を回動させて任意の温度に調節する。
【特許文献１】実開昭５７−１８７２００号公報
【発明の開示】
【発明が解決しようとする課題】
【０００７】
しかしながら、上記従来のアイロンでは、アイロン掛けを行う衣類に適した温度に調節するために、サーモツマミ１９を回動させて温度設定するようにしているが、使い勝手をよくするようにアイロン本体１２を小型化するために、握り部１６の上面及び下面後方を後下がりに傾斜させると、握り部１６の下方に配設されているサーモツマミ１９までの空間が少なく、アイロン掛け時に握り部１６を把持している手がサーモツマミ１９に触れやすい構成となる。
【０００８】
その結果、サーモツマミ１９を不用意に回動して、不用意に設定温度が変更され、特に設定温度が高い方に変更されると衣類を傷め、逆に設定温度が低く変更されるとしわ伸ばし効果が低下して、効率よくアイロン掛け作業を行うことができず、使い勝手が非常に悪いという課題があった。
【０００９】
また、アイロン掛け時に温度を再調整するとき、サーモツマミ１９の温度が高く使い勝手が悪いという問題があった。
【００１０】
そこで、サーモツマミ１９を、握り部１６の前方に設ける構成が考えられるが、サーモツマミ１９の操作性を向上させるためにサーモツマミ１９の操作部の高さを長くするとスチーム釦２０の操作性が悪くなり操作部の高さが制限されるので、操作部が操作範囲の両端に位置した時に操作部の操作性が悪くなるという課題がある。
【００１１】
本発明は、前記従来の課題を解決するもので、サーモツマミが不用意に回転することが無く、また、サーモツマミの操作部の操作範囲の両端の位置でも操作を容易にするとともに、スチーム釦の操作性を容易にし、使い勝手の良いアイロンを提供することを目的とする。
【課題を解決するための手段】
【００１２】
前記従来の課題を解決するために、本発明のアイロンは、ヒータによって加熱されるとともに水を気化させる気化室を有するベースと、前記気化室に供給する水を貯えるタンクと、前記ベースの上方に配設され握り部を有した把手と、前記ヒータへの通電を制御して前記ベースの温度を調節する温度制御手段と、前記ベースの温度を設定する回転式のサーモツマミと、前記タンクから前記気化室への水の流れを制御するスチーム釦とを具備し、前記把手の前方に前下がり状に形成した傾斜部に前記サーモツマミと、その前側に前記スチーム釦とを設け、前記スチーム釦の上端が前記握り部の上端と前記サーモツマミの上端のいずれよりも高い位置に位置するようにしたもので、使用者がアイロン掛けを行う衣類に適した温度に調整するときやスチーム釦を操作するとき、握り部を把持している手がサーモツマミの操作部に触れにくい構成なので、サーモツマミが不用意に回動することはなく、またサーモツマミが、ベースの上方にある握り部の前方に設けたので、サーモツマミへのベースからの熱の伝わりが減少し、サーモツマミの温度上昇を低く抑えて、再設定時の操作を容易にすることができ、使い勝手と安全性の向上を実現することができる。
【発明の効果】
【００１３】
本発明のアイロンは、アイロン掛け時の使い勝手、安全性の向上を可能としたアイロンを実現することができる。
【発明を実施するための最良の形態】
【００１４】
第１の発明は、ヒータによって加熱されるとともに水を気化させる気化室を有するベースと、前記気化室に供給する水を貯えるタンクと、前記ベースの上方に配設され握り部を有した把手と、前記ヒータへの通電を制御して前記ベースの温度を調節する温度制御手段と、前記ベースの温度を設定する回転式のサーモツマミと、前記タンクから前記気化室への水の流れを制御するスチーム釦とを具備し、前記把手の前方に前下がり状に形成した傾斜部に前記サーモツマミと、その前側に前記スチーム釦とを設け、前記スチーム釦の上端が前記握り部の上端と前記サーモツマミの上端のいずれよりも高い位置に位置するようにしたもので、使用者がアイロン掛けを行う衣類に適した温度に調整するときやスチーム釦を操作するとき、握り部を把持している手がサーモツマミの操作部に触れにくい構成なので、サーモツマミが不用意に回動することはなく、またサーモツマミが、ベースの上方にある握り部の前方に設けたので、サーモツマミへのベースからの熱の伝わりが減少し、サーモツマミの温度上昇を低く抑えて、再設定時の操作を容易にすることができ、使い勝手と安全性の向上を実現することができる。
【００１５】
第２の発明は、特に、第１の発明の把手のサーモツマミの側面部の周囲に窪み部を設けたもので、窪み部を利用することによりサーモツマミの操作が一層容易になるものである。
【００１６】
第３の発明は、特に、第１又は第２の発明のサーモツマミの上端を、握り部の上端と略同一高さまたはそれより低い位置に位置させたもので、操作時に握り部を把持している手の余分な移動を押えることができるので、設定時の操作を容易にすることができる。
【００１７】
第４の発明は、特に、第１〜３のいずれか１つの発明のスチーム釦を押し込んだ時、その上端がサーモツマミの上端より高い位置またはそれとほぼ同じ高さに位置するようにしたもので、スチーム釦を操作するときに、不用意にサーモツマミの操作部に触れることがないので、使い勝手と安全性の向上を実現することができる。
【００１８】
以下、本発明の実施の形態について、図面を参照しながら説明する。なお、本実施の形態によって本発明が限定されるものではない。
【００１９】
（実施の形態１）
図１は、本発明の第１の実施の形態におけるアイロンの側面図、図２は、同アイロンの上面図である。
【００２０】
図１において、１はアイロン本体で、ベース２はヒータ（図示せず）によって加熱され水を気化させる気化室（図示せず）を有したものであり、タンク３は、貯水用にベース２の上方に断熱板４を介して配置されている。把手５は、ベース２の上方に配設され握り部６を有したものであり、温度制御手段７は、ヒータへの通電を制御してベース２の温度を調節するものであり、サーモツマミ８は、使用者が温度設定するための操作部９を有し温度制御手段７によって調節されるベース２の温度を回転式で設定するためのものであり、スチーム釦１０は、タンク３から気化室への水の流れを制御するためのものであり、サーモツマミ８とスチーム釦１０は、把手５の前方の前下がり状の傾斜部５ａに、スチーム釦１０をサーモツマミ８より前方に配して設けるとともに、サーモツマミ８の側面部の把手５に窪み部１１を構成している。
【００２１】
スチーム釦１０の高さは、握り部６の上端とサーモツマミ８の上端のいずれよりも高い位置にある。操作部９の高さは、握り部６上端の位置より低い位置またはほぼ同じ位置である。また、スチーム釦１０を押し込んだ位置１０ａのとき、その上端がサーモツマミ８の上端より高い位置またはそれとほぼ同じ高さになるように設定している。
【００２２】
図２に示すように、窪み部１１は、サーモツマミ８の側面後方に設けられている。
【００２３】
以上のように構成されたアイロンについて、以下その動作、作用を説明する。
【００２４】
まず、使用者がアイロン掛けを行う衣類に適した温度に調整する時やスチーム釦１０を操作するとき、スチーム釦１０の上端が握り部６の上端とサーモツマミ８の上端のいずれよりも高い位置なので、握り部６を把持している手が操作部９に触れにくく、操作部９が不用意に回動することはなく、また、窪み部１１を利用することにより温度設定の操作を容易に行なうことができ、アイロン本体１の使い勝手と安全性を向上させることができる。
【００２５】
また、サーモツマミ８の上端を、握り部６の上端より低い位置またはほぼ同じ高さに位置させたので、操作時に握り部６を把持している手の余分な移動を押えることができ、設定時の操作を容易にすることができる。
【００２６】
また、スチーム釦１０を押し込んだ位置１０ａを、その上端がサーモツマミ８の上端より高い位置またはほぼ同じ高さに位置するよう構成したもので、スチーム釦１０を操作するときに、不用意に操作部９に触れることがないので、使い勝手と安全性の向上を実現することができる。
【００２７】
なお、上記実施の形態では、スチーム釦１０について説明したが、ドライ／スチーム切替釦、増量スチーム釦、スプレー釦についてもあてはまることはいうまでもない。
【産業上の利用可能性】
【００２８】
以上のように、本発明にかかるアイロンは、サーモツマミやスチーム釦を操作したときの安全性、使い勝手に優れているので、衣類等のしわ伸ばしを行うアイロンに限らず、スチーム機能を搭載した各種熱器具にも広く適用できるものである。
【図面の簡単な説明】
【００２９】
【図１】本発明の実施の形態１におけるアイロンの側面図
【図２】同アイロンの上面図
【図３】従来のアイロンの側面図
【符号の説明】
【００３０】
１    アイロン本体
２    ベース
３    タンク
５    把手
５ａ  傾斜部
６    握り部
７    温度制御手段
８    サーモツマミ
９    操作部
１０    スチーム釦
１１    窪み部
【図１】
2006110042.tif 000003
【図２】
2006110042.tif 000004
【図３】
2006110042.tif 000005